(57)【特許請求の範囲】
【請求項１】
複数の交換機を含むネットワークの各交換機において、
相手交換機との間の伝送遅延時間を測定する遅延時間測定部と、遅延時間に対応する受信レベル補正値を格納する遅延情報テーブルＢと、前記測定された遅延時間に対応する受信レベル補正値を該遅延情報テーブルＢから検索して相手交換機に対応して遅延情報テーブルＡに格納する照合部とを備え、
通信時、相手交換機ごとに該遅延情報テーブルＡを参照して受信レベル補正値を決定することを特徴とする交換機における最適音声レベル自動設定方式。
【請求項２】
複数の交換機を含むネットワークの各交換機において、
発信側交換機において、着信先交換機との間の伝送遅延時間に対応する受信レベル補正値を該交換機の事業所番号に対応して格納する遅延情報テーブルＡと、着信先交換機の事業所番号に応じて該遅延情報テーブルＡを検索して受信レベル補正値を出力する情報テーブル参照部と、該出力された受信レベル補正値を受信ＰＡＤに設定する受信ＰＡＤ補正部とを備えて発信側交換機の受信ＰＡＤの設定を行ない、
受信側交換機において、発信元交換機との間の伝送遅延時間に対応する受信レベル補正値を該交換機の事業所番号に対応して格納する遅延情報テーブルＡと、発信元交換機の事業所番号に応じて該遅延情報テーブルＡを検索して受信レベル補正値を出力する情報テーブル参照部と、該出力された受信レベル補正値を受信ＰＡＤに設定する受信ＰＡＤ補正部とを備えて、受信側交換機の受信ＰＡＤの設定を行なうことを特徴とする交換機における最適音声レベル自動設定方式。
【請求項３】
複数の交換機を含むネットワークの各交換機において、
発信側交換機において、着信先交換機との間の伝送遅延時間に対応する受信レベル補正値を該交換機の事業所番号に対応して格納する遅延情報テーブルＡと、自局の電話機との間のエコーリタンロスに対応する送信レベル補正値を該電話機の内線番号に対応して格納するエコーリタンロス情報テーブルＡと、着信先交換機の事業所番号に応じて該遅延情報テーブルＡを検索して受信レベル補正値を出力するとともに自局の電話機の内線番号に応じて該エコーリタンロス情報テーブルＡを検索して送信レベル補正値を出力する情報テーブル参照部と、該出力された受信レベル補正値を受信ＰＡＤに設定する受信ＰＡＤ補正部と、該出力された送信レベル補正値を送信ＰＡＤに設定する送信ＰＡＤ補正部とを備えて、発信側交換機の受信ＰＡＤと送信ＰＡＤの設定を行ない、
受信側交換機において、発信元交換機との間の伝送遅延時間に対応する受信レベル補正値を該交換機の事業所番号に対応して格納する遅延情報テーブルＡと、自局の電話機との間のエコーリタンロスに対応する送信レベル補正値を該電話機の内線番号に対応して格納するエコーリタンロス情報テーブルＡと、発信元交換機の事業所番号に応じて該遅延情報テーブルＡを検索して受信レベル補正値を出力するとともに自局の電話機の内線番号に応じて該エコーリタンロス情報テーブルＡを検索して送信レベル補正値を出力する情報テーブル参照部と、該出力された受信レベル補正値を受信ＰＡＤに設定する受信ＰＡＤ補正部と、該出力された送信レベル補正値を送信ＰＡＤに設定する送信ＰＡＤ補正部とを備えて、受信側交換機の受信ＰＡＤと送信ＰＡＤの設定を行なうことを特徴とする交換機における最適音声レベル自動設定方式。
【発明の詳細な説明】
【０００１】
【発明の属する技術分野】
本発明は、トールダイヤルネットワークの通話品質の改善に関し、特に交換機において、通話毎に通話レベルの最適化を図るための、最適音声レベル自動設定方式に関するものである。
【０００２】
近年、交換機（ＰＢＸ）間の接続において、海外との専用線接続や、さまざまなキャリアによる専用線接続等によって、伝送遅延時間が大きく異なる場合が増えている。また、ＰＢＸに接続する電話機においても、交換機と電話機間の距離や、利用する線材の違い等によって、その特性が大きく異なることがある。
【０００３】
その結果、電話をかける相手先や、電話機側の環境の違い等によって、エコーや遠話のような、通話品質上の違いが大きくなる場合があるが、このような通話品質の変化を解消して、通話ごとに最適の通話レベルを維持できるようにすることが必要である。
【０００４】
【従来の技術】
従来のＰＢＸでは、このような通話品質の変化を少なくする方法としては、実運用を行って、最大公約数的に利用者が満足できるレベルに、手動によって固定的にチューニングする方法が一般的であった。
【０００５】
【発明が解決しようとする課題】
伝送路の伝送遅延時間は、伝送路が地上回線であるか、または衛星回線であるか等の条件によって、大幅に変化する。また伝送路の損失は、電話機と交換機間の伝送路の線路抵抗や、伝送路を形成する線材の特性等によって、著しく異なっている。
【０００６】
従って、上述のように、固定的に通話レベルを調整する方法では、ＰＢＸに接続される通話相手との間の伝送路の状態によって、伝送遅延時間が変化するだけでなく、通話相手の使用機器や伝送路の特性によって伝送損失も変化するので、通話レベルを通話ごとに常に最適に保つことは困難であるという問題があった。
【０００７】
本発明は、このような従来技術の課題を解決しようとするものであって、トールダイヤルネットワークを構築する際に、各ＰＢＸに伝送遅延や、電話機とＰＢＸ間の線路特性の情報を持たせて、通話の発生と同時に、自動的に最適なレベル値を設定するようにすることによって、常に最適な通話品質を提供することが可能なようにすることを目的としている。
【０００８】
【課題を解決するための手段】
上記の課題を解決するため、本発明においては、次の各具体的手段を備えている。
【０００９】
(1) 複数の交換機を含むネットワークの各交換機において、相手交換機との間の伝送遅延時間を測定する遅延時間測定部１４０と、遅延時間に対応する受信レベル補正値を格納する遅延情報テーブルＢ１６１と、測定された遅延時間に対応する受信レベル補正値を遅延情報テーブルＢ１６１から検索して相手交換機に対応して遅延情報テーブルＡ１６０に格納する照合部１４１とを備え、通信時、相手交換機ごとに遅延情報テーブルＡ１６０を参照して受信レベル補正値を決定する。
【００１０】
(2) 複数の電話機と交換機とからなるネットワークの交換機において、電話機との間のエコーリタンロスを測定するエコーリタンロス測定部１５０と、エコーリタンロスに対応する送信レベル補正値を格納するエコーリタンロス情報テーブルＢ１６３と、測定されたエコーリタンロスに対応する送信レベル補正値をエコーリタンロス情報テーブルＢ１６３から検索して通信相手に対応してエコーリタンロス情報テーブルＡ１６２に格納する照合部１５１とを備え、通信時、電話機ごとにエコーリタンロス情報テーブルＡ１６２を参照して送信レベル補正値を決定する。
【００１１】
(3) 複数の交換機を含むネットワークの各交換機において、着信先交換機との間の伝送遅延時間に対応する受信レベル補正値をこの交換機の事業所番号に対応して格納する遅延情報テーブルＡ１６０と、着信先交換機の事業所番号に応じて遅延情報テーブルＡ１６０を検索して受信レベル補正値を出力する情報テーブル参照部１７３と、出力された受信レベル補正値を受信ＰＡＤ１３３に設定する受信ＰＡＤ補正部１７２とを備えて発信側交換機の受信ＰＡＤの設定を行ない、発信元交換機との間の伝送遅延時間に対応する受信レベル補正値をこの交換機の事業所番号に対応して格納する遅延情報テーブルＡ２６０と、発信元交換機の事業所番号に応じて遅延情報テーブルＡ２６０を検索して受信レベル補正値を出力する情報テーブル参照部２７３と、出力された受信レベル補正値を受信ＰＡＤ２３３に設定する受信ＰＡＤ補正部２７２とを備えて、受信側交換機の受信ＰＡＤの設定を行なう。
【００１２】
(4) 複数の交換機を含むネットワークの各交換機において、発信元電話機との間のエコーリタンロスに対応する送信レベル補正値をこの電話機の内線番号に対応して格納するエコーリタンロス情報テーブルＡ１６２と、発信元電話機の内線番号に応じてエコーリタンロス情報テーブルＡ１６２を検索して送信レベル補正値を出力する情報テーブル参照部１７３と、出力された送信レベル補正値を送信ＰＡＤ１３２に設定する送信ＰＡＤ補正部１７１とを備えて発信側交換機の送信ＰＡＤの設定を行ない、着信先電話機との間のエコーリタンロスに対応する送信レベル補正値をこの電話機の内線番号に対応して格納するエコーリタンロス情報テーブルＡ２６２と、着信先電話機の内線番号に応じてエコーリタンロス情報テーブルＡ２６２を検索して送信レベル補正値を出力する情報テーブル参照部２７３と、出力された送信レベル補正値を送信ＰＡＤ２３２に設定する送信ＰＡＤ補正部２７１とを備えて、受信側交換機の送信ＰＡＤの設定を行なう。
【００１３】
(5) 複数の交換機を含むネットワークの各交換機において、着信先交換機との間の伝送遅延時間に対応する受信レベル補正値をこの交換機の事業所番号に対応して格納する遅延情報テーブルＡ１６０と、自局の電話機との間のエコーリタンロスに対応する送信レベル補正値をこの電話機の内線番号に対応して格納するエコーリタンロス情報テーブルＡ１６２と、着信先交換機の事業所番号に応じて遅延情報テーブルＡ１６０を検索して受信レベル補正値を出力するとともに自局の電話機の内線番号に応じてエコーリタンロス情報テーブルＡ１６２を検索して送信レベル補正値を出力する情報テーブル参照部１７３と、出力された受信レベル補正値を受信ＰＡＤ１３３に設定する受信ＰＡＤ補正部１７２と、出力された送信レベル補正値を送信ＰＡＤ１３２に設定する送信ＰＡＤ補正部１７１とを備えて、発信側交換機の受信ＰＡＤと送信ＰＡＤの設定を行ない、発信元交換機との間の伝送遅延時間に対応する受信レベル補正値をこの交換機の事業所番号に対応して格納する遅延情報テーブルＡ２６０と、自局の電話機との間のエコーリタンロスに対応する送信レベル補正値をこの電話機の内線番号に対応して格納するエコーリタンロス情報テーブルＡ２６２と、発信元交換機の事業所番号に応じて遅延情報テーブルＡ２６０を検索して受信レベル補正値を出力するとともに自局の電話機の内線番号に応じてエコーリタンロス情報テーブルＡ２６２を検索して送信レベル補正値を出力する情報テーブル参照部２７３と、出力された受信レベル補正値を受信ＰＡＤ２３３に設定する受信ＰＡＤ補正部２７２と、出力された送信レベル補正値を送信ＰＡＤ２３２に設定する送信ＰＡＤ補正部２７１とを備えて、受信側交換機の受信ＰＡＤと送信ＰＡＤの設定を行なう。
【００１４】
【発明の実施の形態】
図１ないし図３は、本発明の実施形態(1) を示したものであって、遅延時間に基づく受信レベル補正値の決定方式を示している。図１は本発明の実施形態(1) の構成を示すブロック図、図２は実施形態(1) における情報テーブルの内容を示す図、図３は実施形態(1) の動作を示すフローチャートである。なお、図２中の丸数字は、図３のフローチャート中の丸数字に対応している。
【００１５】
図１において、ＰＢＸ(1) は事業所番号１００を持ち、ＰＢＸ(1) において、１１０は制御部、１２０はスイッチ回路網、１３０は中継トランク、１４０は遅延時間測定部、１４１は照合部、１６０は遅延情報テーブルＡ、１６１は遅延情報テーブルＢ、１９０はコンソールである。
【００１６】
また、ＰＢＸ(2) は事業所番号２００を持ち、ＰＢＸ(2) において、２２０はスイッチ回路網、２３０は中継トランク、２４０は遅延時間測定部である。
【００１７】
ＰＢＸ(1) において、ＰＢＸ(2) との間の遅延時間を測定する場合は、コンソール１９０から制御部１１０へ、事業所番号２００との間の遅延時間の測定命令を出す。
【００１８】
これによって制御部１１０では、次のような動作を行なう。
(1) 測定する事業所の事業所番号（２００）を、遅延情報テーブルＡ１６０に書き込む。
(2) 遅延時間測定命令を、遅延時間測定部１４０に対して出力する。
(3) スイッチ回路網１２０を介して、遅延時間測定部１４０とトランク１３０とを接続して、ＰＢＸ(2) との通話路を確立する。
【００１９】
遅延時間測定部１４０では、遅延時間測定命令を受けると、既に確立された通話路を経て、ＰＢＸ(2) へ遅延時間測定コマンドを送信する。ＰＢＸ(2) では、ＰＢＸ(1) からの遅延時間測定コマンドを受信すると、遅延時間測定部２４０によって、遅延時間測定コマンドを折り返す。
【００２０】
ＰＢＸ(1) では、ＰＢＸ(2) から折り返されてきた遅延時間測定コマンドを、遅延時間測定部１４０において受信し、コマンド送信から受信までの時間（＝遅延時間）を算出する。算出された遅延時間は、制御部１１０によって遅延情報テーブルＡ１６０に格納されるとともに、照合部１４１にも送信される。
【００２１】
照合部１４１では、遅延情報テーブルＢ１６１を検索して、遅延時間に応じた受信レベル補正値を読み出し、読み出された受信レベル補正値を、遅延情報テーブルＡ１６０に格納する。以上の動作によって、事業所番号に応じた受信レベル補正値が決定される。
【００２２】
なお、ＰＢＸ(2) でも、同様の方法によってＰＢＸ(1) との間の遅延時間測定を行なうとともに、受信レベル補正値のデータベース化を行う。（すなわち、事業所番号がｎまである場合には、ｎ個分の遅延時間測定およびデータベース化を行う）。このような受信レベル補正値の設定は、通常、交換機の設置時に行なわれる。受信レベル値の補正は、送信側で送信レベルを変更することによって行なわれる。
【００２３】
図４, 図５は、本発明の実施形態(2) を示したものであって、エコーリタンロスに基づく送信レベル補正値の決定方式を示している。図４は本発明の実施形態(2) の構成と情報テーブルの内容を示し、(a) は実施形態(2) の構成を示すブロック図、(b) は実施形態(2) における情報テーブルの内容を示す図である。図５は、実施形態(2) の動作を示すフローチャートである。なお、図４(b) 中の丸数字は、図５のフローチャート中の丸数字に対応している。なお以下において、エコーリタンロスをＥＲＬと略記する。ここでエコーリタンロスは、線路と終端抵抗とのインピーダンス不整合による反射の大きさを表すものであって、インピーダンス不整合が大きいほど、この値が小さくなる。
【００２４】
図４において、ＰＢＸ(1) は事業所番号１００を持ち、ＰＢＸ(1) において、１１０は制御部、１２０はスイッチ回路網、１３１は内線トランク、１５０はＥＲＬ測定部、１５１は照合部、１６２はＥＲＬ情報テーブルＡ、１６３はＥＲＬ情報テーブルＢ、１９０はコンソールである。
【００２５】
また、１８０は、内線トランク１３１を介して接続された試験用電話機であって、内線番号３００を持っている。
【００２６】
ＰＢＸ(1) において、内線番号３００の電話機との間のＥＲＬを測定する場合は、コンソール１９０から制御部１１０に対して、内線番号３００のＥＲＬ測定命令を出す。これによって制御部１１０では、次のような動作を行なう。
【００２７】
(1) 測定する内線の内線番号（３００）をＥＲＬ情報テーブルＡ１６２に書き込む。
(2) ＥＲＬ測定部１５０に対して、ＥＲＬ測定命令を出力する。
(3) スイッチ回路網１２０を介して、ＥＲＬ測定部１５０とトランク１３１とを接続して、電話機１８０との通話路を確立する。
【００２８】
ＥＲＬ測定部１５０では、ＥＲＬ測定命令を受けると、既に確立されている通話路を経て、電話機１８０に対して測定周波数の信号を発信する。（電話機１８０は試験用電話機であり、呼を受けると通話路がループ状態になる）。
【００２９】
ＥＲＬ測定部１５０では、電話機１８０から反射して戻ってきた測定周波数の信号からＥＲＬを測定し、測定値を制御部１１０を介してＥＲＬ情報テーブルＡ１６２に格納するとともに、照合部１５１にも送信する。
【００３０】
照合部１５１では、ＥＲＬ情報テーブルＢ１６３を検索して、ＥＲＬに応じた送信レベル補正値を読み出し、読み出された送信レベル補正値を、ＥＲＬ情報テーブルＡ１６２に格納する。以上の動作によって、内線番号に応じた送信レベル補正値が決定される。
【００３１】
なお、ＰＢＸ配下の各内線のＥＲＬ測定方法については、全内線分のＥＲＬ測定, 内線グループの代表番号のみのＥＲＬ測定等、さまざまな方法をとることが可能である。さらにＰＢＸが複数ある場合は、各ＰＢＸが同様の方法によって、各内線のＥＲＬ測定およびデータベース化を行う。このような送信レベル補正値の設定は、通常、交換機の設置時に行なわれる。
【００３２】
図６ないし図９は、本発明の実施形態(3) を示したものであって、受信ＰＡＤ（Packet Assemble Deassemble）値の設定方式を示している。図６は本発明の実施形態(3) の構成を示すブロック図、図７は実施形態(3) における情報テーブルの内容を示す図である。図８，図９は、実施形態(3) の動作を示すフローチャート(1),(2) である。
【００３３】
図６において、ＰＢＸ(1) は事業所番号１００を持ち、ＰＢＸ(1) において、１２０はスイッチ回路網、１３０は中継トランク、１３１は内線トランク、１３３は受信ＰＡＤ、１６０は遅延情報テーブルＡ、１７０は電話番号認識部、１７２は受信ＰＡＤ補正部、１７３は情報テーブル参照部、１８１は電話機である。
【００３４】
ＰＢＸ(2) は事業所番号２００を持ち、ＰＢＸ(2) において、２２０はスイッチ回路網、２３０は中継トランク、２３１は内線トランク、２３３は受信ＰＡＤ、２６０は遅延情報テーブルＡ、２７０は電話番号認識部、２７２は受信ＰＡＤ補正部、２７３は情報テーブル参照部、２８１は電話機である。
【００３５】
また、電話機１８１は内線番号３００を持ち、電話機２８１は内線番号４００を持っている。
【００３６】
（発信側交換機の動作概要）（図８参照）
電話機１８１から電話機２８１へ電話をかける場合、電話番号認識部１７０では、電話機１８１からの情報（相手先の電話番号）を記憶し、記憶した情報を情報テーブル参照部１７３へ送信する。
【００３７】
情報テーブル参照部１７３では、受信した情報をもとに、遅延情報テーブルＡ１６０を検索して、相手先の事業所番号に応じた受信レベル補正値を読み出す。読み出された受信レベル補正値は、受信ＰＡＤ補正部１７２へ送信される。
【００３８】
受信ＰＡＤ補正部１７２では、受信した受信レベル補正値を、受信ＰＡＤ１３３に設定する。（なお、受信ＰＡＤ１３３には、図８において＊１で示す基準値が、予め設定されている）。以上の動作によって、発信側交換機における、受信ＰＡＤ値の設定が完了する。
【００３９】
（受信側交換機の動作概要）（図９参照）
電話機１８１から電話機２８１へ電話をかける場合、ＰＢＸ(1) からの接続要求を受けたＰＢＸ(2) において、電話番号認識部２７０では、トランク２３０からの情報（発信元の事業所番号）を記憶し、記憶した情報を情報テーブル参照部２７３へ送信する。
【００４０】
情報テーブル参照部２７３では、受信した情報をもとに、遅延情報テーブルＡ２６０を検索して、発信元の事業所番号に応じた受信レベル補正値を読み出す。読み出された受信レベル補正値は、受信ＰＡＤ補正部２７２へ送信される。
【００４１】
受信ＰＡＤ補正部２７２では、受信した受信レベル補正値を、ＰＡＤ２３３に設定する。（なお、受信ＰＡＤ２３３には、図９において＊１で示す基準値が、予め設定されている）。以上の動作によって、受信側交換機における、受信ＰＡＤ値の設定が完了する。
【００４２】
図１０ないし図１３は、本発明の実施形態(4) を示したものであって、送信ＰＡＤ設定方式を示している。図１０は本発明の実施形態(4) の構成を示すブロック図、図１１は実施形態(4) における情報テーブルの内容を示す図である。図１２，図１３は、実施形態(4) の動作を示すフローチャート(1),(2) である。
【００４３】
図１０において、ＰＢＸ(1) は事業所番号１００を持ち、ＰＢＸ(1) において、１２０はスイッチ回路網、１３０は中継トランク、１３１は内線トランク、１３２は送信ＰＡＤ、１６２はＥＲＬ情報テーブルＡ、１７０は電話番号認識部、１７１は送信ＰＡＤ補正部、１７３は情報テーブル参照部、１８１は電話機である。
【００４４】
ＰＢＸ(2) は事業所番号２００を持ち、ＰＢＸ(2) において、２２０はスイッチ回路網、２３０は中継トランク、２３１は内線トランク、２３２は送信ＰＡＤ、２６２はＥＲＬ情報テーブルＡ、２７０は電話番号認識部、２７１は送信ＰＡＤ補正部、２７３は情報テーブル参照部、２８１は電話機である。
【００４５】
また、電話機１８１は内線番号３００を持ち、電話機２８１は内線番号４００を持っている。
【００４６】
（発信側交換機の動作概要）（図１２参照）
電話機１８１から電話機２８１へ電話をかける場合、電話番号認識部１７０では、電話機１８１の内線番号を記憶し、記憶した情報を情報テーブル参照部１７３へ送信する。
【００４７】
情報テーブル参照部１７３では、受信した情報をもとに、ＥＲＬ情報テーブルＡ１６２を検索して、内線番号に応じた送信レベル補正値を読み出す。読み出された送信レベル補正値は、送信ＰＡＤ補正部１７１へ送信される。
【００４８】
送信ＰＡＤ補正部１７１では、受信した送信レベル補正値を、送信ＰＡＤ１３２に設定する。（なお、送信ＰＡＤ１３２には、図１２において＊２で示す基準値が、予め設定されている）。以上の動作によって、発信側交換機における、送信ＰＡＤ値の設定が完了する。
【００４９】
（受信側交換機の動作概要）（図１３参照）
電話機１８１から電話機２８１へ電話をかける場合、ＰＢＸ(1) からの接続要求を受けたＰＢＸ(2) において、電話番号認識部２７０では、トランク２３０からの情報（自局の内線番号）を記憶し、記憶した情報を情報テーブル参照部２７３へ送信する。
【００５０】
情報テーブル参照部２７３では、受信した情報をもとに、ＥＲＬ情報テーブルＡ２６２を検索して、自局の内線番号に応じた送信レベル補正値を読み出す。読み出された送信レベル補正値は、送信ＰＡＤ補正部２７１へ送信される。
【００５１】
送信ＰＡＤ補正部２７１では、受信した送信レベル補正値を、送信ＰＡＤ２３２に設定する。（なお、送信ＰＡＤ２３２には、図１３において＊２で示す基準値が、予め設定されている）。以上の動作によって、受信側交換機における、送信ＰＡＤ値の設定が完了する。
【００５２】
図１４ないし図１７は、本発明の実施形態(5) を示したものであって、送信ＰＡＤ値・受信ＰＡＤ値設定方式を示している。図１４は実施形態(5) の構成を示すブロック図、図１５は実施形態(5) における情報テーブルの内容を示す図である。図１６，図１７は、実施形態(5) の動作を示すフローチャート(1),(2) である。
【００５３】
図１４において、ＰＢＸ(1) は事業所番号１００を持ち、ＰＢＸ(1) において、１２０はスイッチ回路網、１３０は中継トランク、１３１は内線トランク、１３２は送信ＰＡＤ、１３３は受信ＰＡＤ、１６０は遅延情報テーブルＡ、１６２はＥＲＬ情報テーブルＡ、１７０は電話番号認識部、１７１は送信ＰＡＤ補正部、１７２は受信ＰＡＤ補正部、１７３は情報テーブル参照部、１８１は電話機である。
【００５４】
ＰＢＸ(2) は事業所番号２００を持ち、ＰＢＸ(2) において、２２０はスイッチ回路網、２３０は中継トランク、２３１は内線トランク、２３２は送信ＰＡＤ、２３３は受信ＰＡＤ、２６０は遅延情報テーブルＡ、２６２はＥＲＬ情報テーブルＡ、２７０は電話番号認識部、２７１は送信ＰＡＤ補正部、２７２は受信ＰＡＤ補正部、２７３は情報テーブル参照部、２８１は電話機である。
【００５５】
また、電話機１８１は内線番号３００を持ち、電話機２８１は内線番号４００を持っている。
【００５６】
（発信側交換機の動作概要）（図１６参照）
電話機１８１から電話機２８１へ電話をかける場合、電話番号認識部１７０では、電話機１８１からの情報（相手先の電話番号）および電話機１８１の内線番号を記憶し、記憶した情報を情報テーブル参照部１７３へ送信する。
【００５７】
情報テーブル参照部１７３では、受信した情報をもとに、遅延情報テーブルＡ１６０およびＥＲＬ情報テーブルＡ１６２を検索して、相手先の事業所番号に応じた受信レベル補正値と自局の内線番号に応じた送信レベル補正値とを読み出す。読み出された受信レベル補正値，送信レベル補正値は、それぞれ受信ＰＡＤ補正部１７２，送信ＰＡＤ補正部１７１へ送信される。
【００５８】
受信ＰＡＤ補正部１７２および送信ＰＡＤ補正部１７１では、受信した受信レベル補正値，送信レベル補正値を、それぞれ、受信ＰＡＤ１３３，送信ＰＡＤ１３２に設定する。（なお、受信ＰＡＤ１３３，送信ＰＡＤ１３２には、図１６において＊１，＊２で示す基準値が、予め設定されている）。以上の動作によって、発信側交換機における、受信ＰＡＤ値，送信ＰＡＤ値の設定が完了する。
【００５９】
（受信側交換機の動作概要）（図１７参照）
電話機１８１から電話機２８１へ電話をかける場合、ＰＢＸ(1) からの接続要求を受けたＰＢＸ(2) において、電話番号認識部２７０では、トランク２３０からの情報（自局の内線番号と発信元の事業所番号）を記憶し、記憶した情報を情報テーブル参照部２７３へ送信する。
【００６０】
情報テーブル参照部２７３では、受信した情報をもとに、遅延情報テーブルＡ２６０およびＥＲＬ情報テーブルＡ２６２を検索して、発信元の事業所番号に応じた受信レベル補正値と自局の内線番号に応じた送信レベル補正値とを読み出す。読み出された受信レベル補正値，送信レベル補正値は、それぞれ受信ＰＡＤ補正部２７２，送信ＰＡＤ補正部２７１へ送信される。
【００６１】
受信ＰＡＤ補正部２７２および送信ＰＡＤ補正部２７１では、受信した受信レベル補正値，送信レベル補正値を、それぞれ、受信ＰＡＤ２３３，送信ＰＡＤ２３２に設定する。（なお、受信ＰＡＤ２３３，送信ＰＡＤ２３２には、図１７において＊１，＊２で示す基準値が、予め設定されている）。以上の動作によって、受信側交換機における、受信ＰＡＤ値，送信ＰＡＤ値の設定が完了する。
【００６２】
【発明の効果】
以上説明したように本発明によれば、トールダイヤルネットワークの交換機において、通話ごとに、そのときの通信環境に応じた音声レベルを自動的に設定することができるので、常に最適な通信品質を利用者に提供することが可能となる。
【図面の簡単な説明】
【図１】本発明の実施形態(1) の構成を示すブロック図である。
【図２】実施形態(1) における情報テーブルの内容を示す図である。
【図３】実施形態(1) の動作を示すフローチャートである。
【図４】本発明の実施形態(2) の構成と情報テーブルの内容を示す図であって、(a) は実施形態(2) の構成を示すブロック図、(b) は実施形態(2) における情報テーブルの内容を示す図である。
【図５】実施形態(2) の動作を示すフローチャートである。
【図６】本発明の実施形態(3) の構成を示すブロック図である。
【図７】実施形態(3) における情報テーブルの内容を示す図である。
【図８】実施形態(3) の動作を示すフローチャート(1) である。
【図９】実施形態(3) の動作を示すフローチャート(2) である。
【図１０】本発明の実施形態(4) の構成を示すブロック図である。
【図１１】実施形態(4) における情報テーブルの内容を示す図である。
【図１２】実施形態(4) の動作を示すフローチャート(1) である。
【図１３】実施形態(4) の動作を示すフローチャート(2) である。
【図１４】本発明の実施形態(5) の構成を示すブロック図である。
【図１５】実施形態(5) における情報テーブルの内容を示す図である。
【図１６】実施形態(5) の動作を示すフローチャート(1) である。
【図１７】実施形態(5) の動作を示すフローチャート(2) である。
【符号の説明】
１１０  制御部
１２０  スイッチ回路網
１３０  中継トランク
１３１  内線トランク
１３２  送信ＰＡＤ
１３３  受信ＰＡＤ
１４０  遅延時間測定部
１４１  照合部
１５０  ＥＲＬ測定部
１５１  照合部
１６０  遅延情報テーブルＡ
１６１  遅延情報テーブルＢ
１６２  ＥＲＬ情報テーブルＡ
１６３  ＥＲＬ情報テーブルＢ
１７０  電話番号認識部
１７１  送信ＰＡＤ補正部
１７２  受信ＰＡＤ補正部
１７３  情報テーブル参照部
１８０  試験用電話機
１８１  電話機
１９０  コンソール
２２０  スイッチ回路網
２３０  中継トランク
２３１  内線トランク
２３２  送信ＰＡＤ
２３３  受信ＰＡＤ
２４０  遅延時間測定部
２６０  遅延情報テーブルＡ
２７０  電話番号認識部
２７１  送信ＰＡＤ補正部
２７２  受信ＰＡＤ補正部
２７３  情報テーブル参照部
２８１  電話機
【図１】
0003728567.tif 000002
【図２】
0003728567.tif 000003
【図３】
0003728567.tif 000004
【図４】
0003728567.tif 000005
【図５】
0003728567.tif 000006
【図６】
0003728567.tif 000007
【図７】
0003728567.tif 000008
【図８】
0003728567.tif 000009
【図９】
0003728567.tif 000010
【図１０】
0003728567.tif 000011
【図１１】
0003728567.tif 000012
【図１２】
0003728567.tif 000013
【図１３】
0003728567.tif 000014
【図１４】
0003728567.tif 000015
【図１５】
0003728567.tif 000016
【図１６】
0003728567.tif 000017
【図１７】
0003728567.tif 000018